(57)【要約】      （修正有）【課題】間伐材を有効に利用するためのエコ防護柵等の支柱の基礎構造を提供する。【解決手段】水分を除去した後に菜種油等の植物油を含浸させて外構支柱用の木材素材となし、真っ直ぐ上方に伸びる杉木立などの間伐材を選んで素材として使用する。支柱Ａとする植物油を含浸させた小径木本体１は、縦に半割り１ａ，１ｂとした後、通しボルト２を横に挿通してナット３で締めて再び一体化して丸太の支柱Ａとする。下端は、えぐって空洞部４を形成し、これを、基礎コンクリート５に埋め込んで植立した鋼管６に挿着した後、鋼管６を挟んだ半割り１ａ，１ｂに、鋼管６と共に横方向に通しボルト７を挿通してナット８締め一体化して小径木本体１の支柱Ａとして支柱の基礎構造を構成する。【選択図】図１
0003165697.tif 000002
【実用新案登録請求の範囲】
【請求項１】
従来、廃材として廃棄していた間伐材を、資源愛護の点から、長い年月に耐える屋外構築物に有効に利用することを目的にしたもので、間伐材を製材加工及び樹皮を剥離したままの小径木として生かし、水分を除去した後に菜種油等の植物油を含浸させて外構支柱用の木材素材となし、真っ直ぐ上方に伸びる杉木立などの間伐材を選んで素材として使用するもので、図１に於いて、支柱（Ａ）とする植物油を含浸させた小径木本体（１）は、縦に半割り（１ａ），（１ｂ）とした後、通しボルト（２）を横に挿通してナット（３）で締めて再び一体化して小径木の支柱（Ａ）となし、下端は、えぐって空洞部（４）を形成し、これを、基礎コンクリート（５）に埋め込んで植立した鋼管（６）に挿着した後、鋼管（６）を挟んだ半割り（１ａ），（１ｂ）に、鋼管（６）と共に横方向に通しボルト（７）を挿通してナット（８）締め一体化して小径木本体（１）の支柱（Ａ）となした間伐材を利用するエコ防護柵等の支柱の基礎構造。
【考案の詳細な説明】
【技術分野】
【０００１】  本考案は、山林の手入れ作業に於いて、成長に従って混み過ぎた林の木数を調整するため立木の一部を抜き切りして伐り出される間伐材の廃材を、有効に利用するためのエコ防護柵等の支柱の基礎構造に関する。
【背景技術】
【０００２】  山仕事としての山林の手入れ作業に於いては、下草や雑木と共に、多量の間伐材が伐り倒されるが、一般的には、間伐は適切に行われていない。間伐が適切に行われた森林は、水資源の涵養，国土の保全機能が高まる。これら伐採された木材は、樹齢年数が若いことや姿が悪いなどもあり、使い道のない廃材として放出されることになり、間伐材の７割から８割が山中に切り捨てられて利用されておらず、一般的には、その始末や利用に困っている現状にある。【０００３】  そして、廃材となる間伐材は、その整理処理や運び出し作業等の手間に、かなりの時間と労力及び費用を要するなど、問題点が多かった。
【考案が解決しようとする課題】
【０００４】  従来、これらの間伐材は、木材である以上、気温，湿度に弱く、時間と共に腐敗することは免れず、雨風に曝される防護柵等の屋外の構築物に、特に支柱として構築物を支える部分に使用するには、耐久性に乏しく、有効に利用するには問題点も多い。
【０００５】  山仕事としての山林の手入れ作業の中で、廃材となる間伐材の伐採や運搬の処理は、かなりの時間と労力及び費用を要するなど、問題点が多かったが、一方で、特に真っ直ぐ上方に伸びる杉木立などの間伐材は、廃材として廃棄するには、勿体ないと言う感覚もあり、何かしら有効に利用する方策工夫が必要であるとする課題もある。
【課題を解決するための手段】
【０００６】  本考案は、廃材となる間伐材の、製材加工及び樹皮を剥離したままの小径木を、水分を除去した後に菜種油等の植物油を含浸させて外構用の木材素材となし、防護柵等の屋外構築枠材の支柱として利用するもので、支柱は縦に半割りとした後、通しボルトでナット締めして再び一体化して丸太の支柱となし、下端は、えぐって空洞部を形成し、これを、基礎コンクリートに埋め込んで植立した鋼管に挿着して、横方向に通しボルトで鋼管と共にナット締めして一体化した基礎部構造とした。
【考案の効果】
【０００７】    本考案は、廃材となる山仕事の間伐材を、水分を除去した後に菜種油等の植物油を含浸させて外構用の木材素材として、丸太のまま屋外構築物及び木材素材の支柱として利用するもので、雨風に曝される防護柵等の屋外構築物の支柱として腐食に強く、長い年月に耐えて構築物を保持する効果と共に、縦に半割りとした後、通しボルトでナット締めして再び一体化することにより、一般的にひび割れや曲がりに弱い芯部が、予め半割で割れを入れた操作で、その後の永い時日の経過にも割れが入ることもなく、ボルト締め一体化による強固な支柱として、柔らかい丸太材外観を保持したまま構成される効果がある。
【０００８】  さらに、支柱の基礎部の構造を、下端はの空洞部を基礎コンクリートに埋め込んで植立した鋼管に挿着して、横方向に通しボルトで鋼管と共に一体にナット締めした基礎部構造としたものであるから、廃材となる間伐材であるにも拘らず、かなり頑丈な基礎部の造りとなり、風雨に曝される屋外構築物の支柱として長い年月の使用に耐える効果がある。
【０００９】本願は、間伐材の有効利用となることから、間伐促進等森林整備に資することが出来ると共に、防護柵が木製で威圧感がなく、他の製品にない独特の温もりがあり、周囲の景観と自然環境に適合する効果がある。
【図面の簡単な説明】
【００１０】
【図１】  本考案支柱の一部切除して示す側面図である。
【図２】  本考案の使用状態の正面図である。
【考案を実施するための最良の形態】
【００１１】  従来、山仕事としての山林の手入れ作業の中で、間伐材の伐採や運搬の処理は、かなりの時間と労力及び費用を要する一方で、切り出した間伐材は、木材である以上、気温，湿度に弱く、時間と共に腐敗することは免れず、雨風に曝される防護柵等の屋外の構築物に、特に支柱として構築物を支える部分に使用するには、耐久性に乏しく、有効に利用するには問題点が多かった。【００１２】  本考案は、従来、廃材として廃棄していた間伐材を、資源愛護の点から、長い年月に耐える屋外構築物に有効に利用することを目的にしたもので、特に真っ直ぐ上方に伸びる杉木立などの間伐材を、木材の温かみのある感覚を生かして製材加工樹皮を剥離したままの小径木として生かし、水分を除去した後に菜種油等の植物油を含浸させて外構用の木材素材となし、防護柵等の屋外構築物の支柱として利用するものである。【００１３】  従来の外構防護柵は、金属の金網でフェンスを作る概念があり、非常に堅苦しい概観に甘んじていたが、本考案間伐材は、自然の木の丸太材をそのままに環境にやさしく溶け込む形で利用できるもので、木製で威圧感がなく他製品にない独特の温もりが周囲の景観と自然環境へ適合する。廃材となる間伐材から、真っ直ぐ上方に伸びる杉木立などの間伐材を選んで素材とし、支柱として使用するもので、図１に於いて、支柱（Ａ）とする植物油を含浸させた小径木本体（１）は、縦に半割り（１ａ），（１ｂ）とした後、通しボルト（２）を横に挿通してナット（３）で締めて再び一体化して小径木の支柱（Ａ）となし、下端は、えぐって空洞部（４）を形成し、これを、基礎コンクリート（５）に埋め込んで植立した鋼管（６）に挿着した後、鋼管（６）を挟んだ半割り（１ａ），（１ｂ）に、鋼管（６）と共に横方向に通しボルト（７）を挿通してナット（８）締め一体化して丸太材本体（１）の支柱（Ａ）となした基礎部構造とした。【００１４】  本考案は、間伐材を、菜種油等の植物油を含浸させて外構用の木材素材としたので、割れ難く、乾燥，防虫と共に、耐腐食度は、従来の３倍から５倍と長持ちする上、丸太のまま屋外構築物の支柱として利用するので、従来の生杉材のように、環境にやさしく、薬剤を使わないから、健康に安全で、色彩選択自由であり、雨風に曝される防護柵等の屋外構築物の支柱として腐食に強く、長い年月に耐えて構築物を保持する効果がある。【００１５】  又、木支柱となる小径木を縦に半割りとすることにより、間伐材の弱点である曲がりを抑制し、その後、通しボルトでナット締めして再び一体化することにより、一般的にひび割れや曲がりに弱い芯部が、予め半割りで割れを入れた操作で、その後の永い時日の経過にも割れや曲がりが入ることもなく、ボルト締め一体化による強固な支柱として、景観を必要とする場所に、地球に優しい柔らかい外観を保持したままの小径木で構成される効果がある。【００１６】  更に、支柱の基礎部の構造を、下端は、小径木の空洞部を基礎コンクリートに埋め込んで植立した鋼管に挿着して、横方向に通しボルトで鋼管と共に一体にナット締めした謂わば、丸太材と芯となる鋼管と基礎コンクリートの三者を通しボルトで強固に一体化した基礎部構造としたものであるから、木支柱をコンクリート基礎や土中のアスファルトの中に埋め込みすることなく、すべて空気中に露出して間伐材の弱点である腐食を防ぐと共に、廃材となる間伐材であるにも拘らず、かなり頑丈な基礎部の造りとなり、植物油を含浸させた乾燥材として防腐性，防虫性，耐久性に優れ、風雨に曝される屋外構築物例えば、屋外用のデッキ，板塀，看板，杭，土留め，法枠，外構や壁の支柱として長い年月の使用に耐える効果がある。網部（Ｃ）にはエコ材，竹，木，エコ被覆ネットを使用する。
【符号の説明】
【００１７】１  小径木本体
１ａ  半割り
１ｂ  半割り
２  通しボルト
３  ナット
４  空洞部
５  基礎コンクリート
６  鋼管
７  通しボルト
８  ナット
Ａ  支柱
Ｂ  胴縁
Ｃ  網部
【図１】
0003165697.tif 000003
【図２】
0003165697.tif 000004
【手続補正書】
【提出日】平成22年10月31日(2010.10.31)
【手続補正１】
【補正対象書類名】実用新案登録請求の範囲
【補正対象項目名】全文
【補正方法】変更
【補正の内容】
【実用新案登録請求の範囲】
【請求項１】
間伐材を製材加工及び樹皮を剥離したままの小径木として、水分を除去した後に菜種油等の植物油を含浸させて外構支柱用の木材素材となし、真っ直ぐ上方に伸びる杉木立などの間伐材を選んで素材として使用するもので、支柱とする植物油を含浸させた小径木本体は、縦に半割りとした後、通しボルトを横に挿通してナットで締めて再び一体化して小径木の支柱となし、下端は、えぐって空洞部を形成し、これを、基礎コンクリートに埋め込んで植立した鋼管に挿着した後、鋼管を挟んだ半割りに、鋼管と共に横方向に通しボルトを挿通してナット締め一体化して小径木本体の支柱となした間伐材を利用するエコ防護柵等の支柱の基礎構造。